(57)【要約】  【課題】より簡便に本体側の半ケース部とリフィル側の半ケース部とを離間させることによって、使用者が迅速かつ簡便にリフィルを交換し得る転写具を提供する。  【解決手段】転写具Ａは、支持体１及びリフィル２間に、係合する際の相対姿勢と異なった相対姿勢においてその係合を解除することができる係合部である回動係合部Ｑ並びに爪係合部Ｒを設けたことを特徴とするものである。具体的には、回動係合部Ｑ並びに爪係合部Ｒは、係合する際の相対姿勢を、支持体１及びリフィル２を正対させた姿勢から重ね合わせる重ね動作とするとともに、解除する際の相対姿勢を、支持体１及びリフィル２の何れか一方を他方に対して相対的に回動させる回動動作としたものである。  【選択図】図３
2008265041.tif 000002
【特許請求の範囲】
【請求項１】
転写具本体のケースを、対をなす半ケース部に分割し得るようにした転写具であって、
前記両半ケース部間に、係合する際の前記両半ケース部の相対姿勢と異なった相対姿勢においてその係合を解除することができる係合部を設けたことを特徴とする転写具。
【請求項２】
係合する際の相対姿勢を、前記両半ケース部を正対させた姿勢から重ね合わせる重ね動作とするとともに、解除する際の相対姿勢を、前記両半ケース部の何れか一方を他方に対して相対的に回動させる回動動作としている請求項１記載の転写具。
【請求項３】
前記係合部を複数設けたものとし、前記両半ケース部における一端側と他端側に当該複数の係合部をそれぞれ設けたものとしている請求項１又は２記載の転写具。
【請求項４】
前記係合部のうち少なくとも何れか一方を、前記回動動作を助長し得る回動案内面を有する回動係合部としている請求項３記載の転写具。
【請求項５】
前記回動案内面を部分円弧状に構成するとともに、回動する際に当該回動係合部の係合を解除するよう案内する解除案内面を有するものとしている請求項４記載の転写具。
【請求項６】
前記回動係合部を、前記重ね動作を案内し得る重合案内面をさらに有するものとしている請求項４又は５記載の転写具。
【請求項７】
前記回動係合部を、転写ヘッドの両側において回動方向に対して直交する方向に一対対向させて設けている請求項４、５又は６記載の転写具。
【請求項８】
前記回動係合部の他に位置付ける他端側係合部を、単一の係合部としている請求項４、５、６又は７記載の転写具。
【請求項９】
前記他端側係合部を、係合爪と、外方から当該係合爪の係合を解除させ得る解除操作部とを有するものとしている。
【請求項１０】
前記他端側係合部と、係合時に係合爪の係り合いを強める方向に爪を押圧する爪押圧部をさらに有するものとしている。
【請求項１１】
前記対をなす半ケース部のうちの一方の半ケース部に、テープを保持するテープ保持機構と、当該テープ保持機構を駆動し得る駆動機構を取り付けている請求項１、２、３、４、５、６、７、８、９又は１０記載の転写具。
【請求項１２】
前記テープ保持機構を前記テープを繰出し得る繰出リールと当該テープを巻取り得る巻取リールとを有するものとするとともに、
前記駆動機構を、前記繰出リール及び前記巻取リールと同軸に設けた繰出プーリ及び巻取プーリと、当該繰出プーリ及び巻取プーリに架け渡して設けたベルトにより構成している請求項１１記載の転写具。
【請求項１３】
修正剤を転写し得るものとしている請求項１、２、３、４、５、６、７、８、９、１０、１１、１２又は１３記載の転写具。
【請求項１４】
転写物を塗布したテープが保持されるテープの面方向から当該テープを所定角度旋回させて転写ヘッドへ案内し得る旋回機構を有するものとしている請求項１、２、３、４、５、６、７、８、９、１０、１１、１２又は１３記載の記載の転写具。
【発明の詳細な説明】
【技術分野】
【０００１】
本発明は、粘着剤や修正剤の転写物を紙などに転写し得る転写具、具体的にはリフィルを交換することにより転写物を繰り返し充填し得るリフィル交換式の転写具に関するものである。
【背景技術】
【０００２】
従来、リフィルを交換することにより転写物を繰り返し充填し得るリフィル交換式の転写具が種々提案されている。
【０００３】
このようなものは、転写具が一対の半ケース部、具体的にはリフィルとして機能するリフィル側の半ケース部と、当該リフィル側の半ケース部を支持する本体側の半ケース部とによって構成されたものとなっている。そして、リフィル側の半ケース部を本体側の半ケース部に取り付ける際には、両半ケース部を互いに正対させた状態として、対応する各係合箇所の位置を確認しながら、互いに真っ直ぐに接近させる動作を行なうものが一般的である（例えば、特許文献１における図５等参照）。ここで本明細書において、当該動作のことを「重ね動作」と記すものとする。
【０００４】
他方、リフィル交換に際しては、まず係合解除の動作を行なう事となるが、その際には上述の「重ね動作」とは、まったく逆の動作を行なうものとなっている。すなわち、係合状態から正対させた状態にまで真っ直ぐに離間させる動作を行なうこととなる。
【特許文献１】特開２００１−９６９８５号公報
【発明の開示】
【発明が解決しようとする課題】
【０００５】
しかしながら、このような転写具の場合、重ね動作の際には使用者にとってもわかりやすく、作業自体も簡単である一方で、斯かる係合を解除するときには、係合した状態から正対させた状態へ真っ直ぐに離間させようとすると、各々の係合箇所を一度に解除させるための煩雑な構成や、例えば両手を用いて複数の係合箇所を同時に係合解除するなどといった、「重ね動作」に比べると著しく煩雑な動作を要するものとなってしまう。
【０００６】
本発明は、このような不具合に着目したものであり、より簡便に本体側の半ケース部とリフィル側の半ケース部とを離間させることによって、使用者が迅速かつ簡便にリフィルを交換し得る転写具を提供する。
【課題を解決するための手段】
【０００７】
本発明は、このような目的を達成するために、次のような手段を講じたものである。すなわち、本発明に係る転写具は、転写具本体のケースを、対をなす半ケース部に分割し得るようにした転写具であって、前記両半ケース部間に、係合する際の前記両半ケース部の相対姿勢と異なった相対姿勢においてその係合を解除することができる係合部を設けたことを特徴とする。
【０００８】
ここで本明細書において、転写物を保持し、詰め替え・交換し得る側のものを示す文言として、「リフィル」という用語を採用しているが、この用語は、「カートリッジ」、「交換式カートリッジ」或いは「詰め替え」という文言と同義であり、置き換える事が可能なものである。
【０００９】
このようなものであれば、係合する際の姿勢とは異なる姿勢で解除することができるので、半ケース部の交換を行ない易い転写具を構成することが可能となる。そうすることにより、使用者にリフィルの交換を手軽に行なわせ得ることで好適な使用感を提供し得る転写具を提供することが可能となる。
【００１０】
リフィルの交換の際、両半ケース部を合体させる際には従来と同じ方式とすることで使用者に違和感を覚えさせないものとしながら、解除する際には、正確に動作させ得るとともに、回動先端側を移動させるのみの相対的に回動させる回動動作によって、簡便に操作し得る回動動作を採用することで、より簡便な操作感を使用者に提供することが可能となる。
【００１１】
確実に両半ケース部を係合させ得る構成として、係合部を複数設けたものとし、両半ケース部における一端側と他端側に当該複数の係合部をそれぞれ設けたものを挙げる事ができる。
【００１２】
回動中心を別途設ける事を有効に回避するためには、係合部のうち少なくとも何れか一方を、前記回動動作を助長し得る回動案内面を有する回動係合部とすることが望ましい。
【００１３】
具体的には、回動案内面を部分円弧状に構成するとともに、回動する際に当該回動係合部の係合を解除するよう案内する解除案内面を有するものとすることが好ましい。
【００１４】
そして重ね動作の際にも好適に係り合い得るものとするためには、回動係合部を、重ね動作を案内し得る重合案内面をさらに有するものとすることが望ましい。
【００１５】
特に、転写ヘッドの両側において回動方向に対して直交する方向に一対対向させて回動係合部を設けたものとすれば、一対の回動係合部間に仮想の回動軸を形成し得るものとなり、安定した解除動作をし得るものとなる。
【００１６】
他方、より簡便な解除操作を行なうためには、回動係合部の他に位置付ける他端側係合部を、単一の係合部とすることが望ましい。
ものとなる。
【００１７】
特に、他端側係合部を、容易に解除可能なものとするためには、他端側係合部を、係合爪と、外方から当該係合爪の係合を解除させ得る解除操作部とを有するものとすることが望ましい。そして他端側係合部による係り合いを確実なものとするためには、他端側係合部と、係合時に係合爪の係り合いを強める方向に爪を押圧する爪押圧部をさらに設けたものとすればよい。
【００１８】
係り合いと解除とを繰り返してもテープが弛みがたい構成とするためには、対をなす半ケース部のうちの一方の半ケース部を、テープを保持するテープ保持機構と、当該テープ保持機構を駆動し得る駆動機構を取り付けたものとすればよい。
【００１９】
駆動機構に係る部品点数を少なくするためには、テープ保持機構を前記テープを繰出し得る繰出リールと当該テープを巻取り得る巻取リールとを有するものとするとともに、駆動機構を、繰出リール及び巻取リールと同軸に設けた繰出プーリ及び巻取プーリと、当該繰出プーリ及び巻取プーリに架け渡して設けたベルトにより構成することが好ましい。このようなものであれば、例えば半ケース部に別途ギアを保持させるような格別な機構を構成することを有効に回避し得るものとなる。
【００２０】
そして本発明を、修正剤を転写し得るものや、転写物を塗布したテープが保持されるテープの面方向から当該テープを所定角度旋回させて転写ヘッドへ案内し得る旋回機構を有するものといった、両半ケース部の係合或いは係合解除時にテープの弛みが起こりやすい態様の転写具に採用することで、より好適に扱い得る転写具の提供を実現することができる。
【発明の効果】
【００２１】
本発明によれば、係合する際の姿勢とは異なる姿勢で解除することができるので、半ケース部の交換を行ない易い転写具を構成することが可能となる。そうすることにより、使用者にリフィルの交換を手軽に行なわせ得ることで好適な使用感を提供し得る転写具を提供することができる。
【発明を実施するための最良の形態】
【００２２】
以下、本発明の一実施の形態について図面を参照して説明する。
【００２３】
本実施形態に係る転写具Ａは、図１〜図３に示すように、テープＴの片面に剥離可能に塗布した転写物を紙面等の転写対象面に転写するためのものである。本実施形態に係る転写具Ａ１は転写物として、修正剤を転写し得る、所謂修正テープを具備したものとしている。
【００２４】
転写具Ａは、主に転写具本体Ａ１と、転写ヘッドＨとを有するものとしているが、図２及び図３において、転写ヘッドＨを破線にて示すとともに、テープＴの図示を省略している。そして転写具本体Ａ１は、図３に示すように、対をなす半ケース部である支持体１とリフィル２とに分割し得るようにした、所謂半割構造をなすものとしている。そして、支持体１とリフィル２とが係合した状態すなわち後述する本体ケース１０とリフィルケース２０とが係合した状態を係合状態（Ｅ）と称する事とする。
【００２５】
ここで、本実施形態に係る転写具Ａは、支持体１及びリフィル２間に、係合する際の相対姿勢と異なった相対姿勢においてその係合を解除することができる係合部である回動係合部Ｑ並びに爪係合部Ｒを設けたことを特徴とするものである。具体的には、回動係合部Ｑ並びに爪係合部Ｒは、係合する際の相対姿勢を、支持体１及びリフィル２を正対させた姿勢から重ね合わせる重ね動作とするとともに、解除する際の相対姿勢を、支持体１及びリフィル２の何れか一方を他方に対して相対的に回動させる回動動作としたものであるが、当該回動係合部Ｑ並びに爪係合部Ｒの具体的な構成は後に詳述する。
【００２６】
以下、転写具Ａにおける、支持体１並びにリフィル２の構成について具体的に説明する。
【００２７】
支持体１は、図１、図２及び図３に示すように、本体ケース１０を主体とし、当該本体ケース１０には転写ヘッドＨを保護し得るヘッドカバーＨＣを回動可能に取り付けるとともに、本体ケース１０内部には、ボタンＫ１による操作により後述する巻取リール４２を駆動させてテープＴの弛みを解消し得る強制駆動機構Ｋに係る構成要素を内蔵したものとしているが、本明細書においては強制駆動機構Ｋの具体的な説明を省略するものとする。
【００２８】
そして本体ケース１０には、転写ヘッドＨを取り付けた一端側において、回動係合部Ｑを構成する嵌合穴１１を形成しているとともに、転写ヘッドＨを設けた位置とは反対側である他端側に、爪係合部Ｒを構成する爪本体１５と、爪押圧部１８を形成している。
【００２９】
リフィル２は、図１、図２及び図３に示すように、リフィルケース２０を主体として、当該リフィルケース２０には転写ヘッドＨと、テープＴを保持するテープ保持機構４と、転写物を転写する動作によってテープ保持機構４を駆動し得る駆動機構５とを取り付けている。テープ保持機構４は、転写物を転写する前のテープＴを繰出し得る繰出リール４１と転写物を転写した後のテープＴを巻取り得る巻取リール４２とを有している。駆動機構５は、繰出リール４１及び巻取リール４２と同軸に設けた繰出プーリ５１及び巻取プーリ５２と、当該繰出プーリ５１及び巻取プーリ５２に架け渡して設けたベルト５３とを有するものとしている。そして本実施形態では、テープ保持機構４に保持されるテープＴの面方向から当該テープＴを略９０度旋回させて転写ヘッドＨへ案内し得る旋回機構Ｓを設けることにより、横引き式の転写具Ａを構成したものとしている。
【００３０】
そしてリフィルケース２０には、転写ヘッドＨ付近の一端側において、回動係合部Ｑを構成する回動突起２１を設けているとともに、転写ヘッドＨを設けた位置とは反対側である他端側に、爪係合部Ｒを構成する爪受部２５を設けている。
【００３１】
ここで、本実施形態に係る転写具Ａにおける、爪係合部Ｒ及び回動係合部Ｑの構成を具体的に説明する。
【００３２】
爪係合部Ｒは、図２及び図３に示すように、上述の通り本体ケース１０側の単一の爪本体１５並びに爪押圧部１８と、リフィルケース２０側の爪受部２５とによって構成されるものである。爪本体１５は、本体ケース１０から一体に形成されたものであり、リフィルケース２０側の爪受部２５に対して接離する方向に弾性変形し得るものである。当該爪本体１５は、先端側において後述する爪受け穴２６に係り合う係合爪１６と、当該係合爪１６よりも基端側において突出するとともに外部に露出され、外力により押圧されることにより係合爪１６と爪受け穴２６との係合を解除し得る解除操作部１７とを有している。そして爪受部２５は、爪本体１５の爪受け穴２６に対応する位置に設けた爪受け穴２６を主体とし、係合爪１６との係合を確実に行ない得るものである。爪押圧部１８は、爪本体１５近傍からリフィルケース２０側へ向けて突出し、図２に示すように、本体ケース１０とリフィルケース２０とを係合させた係合状態（Ｅ）で、リフィルケース２０の内側を弾性付勢し得るものとなっている。
【００３３】
回動係合部Ｑは、図２、図３、図４及び図５に示すように、上述の通り転写具本体Ａ１の一端側において転写ヘッドＨを挟むように一対設けたものであり、本体ケース１０側に設けた嵌合穴１１と、リフィルケース２０側に設けた回動突起２１とによって構成されている。嵌合穴１１は、回動突起２１を内側に収容すべく回動突起２１の平面視形状に対応した形状に本体ケース１０を貫通させた穴である。すなわち、矩形から短辺側の一方を円弧状とした平面視形状としており、斯かる円弧状の端面を本発明の回動案内面である円弧面１２、短寸側の平面を解除端面１３、長手方向における一方の面を重合端面１４としている。回動突起２１は、リフィルケース２０の一端側において転写ヘッドＨを挟む位置に正対させて形成した突起であり、本発明の回動案内面である部分円弧状の回動摺接面２２と、長辺側を傾斜させて設けた重合案内面２３と、短辺側を傾斜させて設けた解除案内面２４とを有するものとしている。
【００３４】
ここで、本実施形態では、斯かる構成の爪係合部Ｒと回動係合部Ｑによって、本体ケース１０とリフィルケース２０とを係合状態（Ｅ）とする際の相対姿勢を、支持体１及びリフィル２を正対させた姿勢から重ね合わせる重ね動作とするとともに、解除する際の相対姿勢を、支持体１及びリフィル２の何れか一方を他方に対して相対的に回動させ得る回動動作としているものである。以下に、重ね動作並びに回動動作に斯かる爪係合部Ｒ並びに回動係合部Ｑの動作について詳述する。
【００３５】
爪係合部Ｒにおいては、図２及び図３に示すように、本体ケース１０とリフィルケース２０とを係合させる際には、係合爪１６よりも先に爪押圧部１８がリフィルケース２０側に接することにより、係合爪１６への過度の衝撃が加わることが有効に回避されるものとなっている。さらに、係合した状態において本体ケース１０とリフィルケース２０とを離間させる方向に弾性付勢することで、係合爪１６と爪受け穴２６との接触圧を高めて係合を確実なものとするとともに、解除操作部１７を押圧すると、爪押圧部１８の弾性付勢力によって本体ケース１０とリフィルケース２０とを円滑且つ確実に離間させ得るものとなっている。
【００３６】
そして回動係合部Ｑにおいては、重ね動作の際、図４、図５及び図６に示すように、本体ケース１０とリフィルケース２０とを正対させた状態から係合させるに際して、特に図５及び図６（ａ）に示すように、回動突起２１の重合案内面２３を傾斜面としているため、本体ケース１０の端面１０ａに当接すると、一対の回動突起２１が近接する方向にリフィルケース２０が若干弾性変形するか、或いは本体ケース１０が若干弾性変形することにより、円滑に本体ケース１０に重なり得るものとなっている。そしてそのまま本体ケース１０とリフィルケース２０とを近接させていくと、図６（ｂ）に示すように、重合案内面２３は嵌合穴１１の重合端面１４に当接することによって、回動突起２１は嵌合穴１１に収容された係合状態（Ｅ）となる。
【００３７】
他方、係合状態（Ｅ）を解除する際の回動動作について図７及び図８に示して説明する。まず、図８（ａ）に示すように他端側において爪係合部Ｒの係合を解除した際には、回動突起２１の回動摺接面２２が円弧面１２に沿って回動しながら摺接することとなる。すると図８（ｂ）に示すように、回動突起２１の解除案内面２４が傾斜面であるため、リフィルケース２０を若干弾性変形させながら嵌合穴１１の解除端面１３に接した位置からずれが生じることとなる。そして図８（ｃ）に示すように、さらに回動を続けると、解除案内面２４と解除端面１３とは完全に離間するとともに、そのまま嵌合穴１１と回動突起２１との係り合いが完全に解除されることとなり、本体ケース１０とリフィルケース２０とを完全に分離することができる。また、回動動作の際、回動係合部Ｑを転写ヘッドＨの両側において斯かる回動方向に対して直交する方向に一対対向させて設けているため、この２つの回動係合部Ｑは回動動作を案内するのみならず、回動動作における回動軸の役割も担わせて、円滑な回動動作を実現している。また勿論、当該回動係合部Ｑは、上述したような係合状態（Ｅ）を解除する動作の逆の手順の動作を行なう事により、回動動作によって本体ケース１０とリフィルケース２０とを係合状態（Ｅ）とすることも可能である。
【００３８】
以上のような構成とすることにより、本実施形態に係る転写具Ａは、支持体１とリフィル２を係合状態（Ｅ）とする際の相対姿勢と、係合状態（Ｅ）を解除する際の相対姿勢を異ならせるための係合部として、回動係合部Ｑと爪係合部Ｒとを設ける事により、リフィル２の交換を行ない易い転写具Ａを構成することが可能となる。そうすることにより、使用者にリフィル２の交換を手軽に行なわせ得ることで好適な使用感を提供し得る転写具Ａを提供することを実現している。具体的にはリフィル２の交換の際、両半ケース部を合体させる際には従来と同じ重ね動作とすることで使用者に違和感を覚えさせないものとしながら、解除する際には、正確に動作させ得るとともに、回動先端側を移動させるのみの相対的に回動させる回動動作によって、簡便に操作し得る回動動作を採用することで、より簡便な操作感を使用者に提供し得たものとなっている。
【００３９】
確実に両半ケース部を係合させ得る構成として、係合部を複数設けたものとし、両半ケース部における一端側と他端側に回動係合部Ｑと爪係合部Ｒをそれぞれ設けることにより、確実に支持体１とリフィル２とを係合させ得るものとなっている。
【００４０】
特に回動係合部Ｑを設けることによりヒンジなど、回動させるための格別の構成を別途設ける事を有効に回避している。
【００４１】
また、部分円弧状の回動案内面たる円弧面１２並びに回動摺接面２２と解除案内面２４とを設ける事により、円滑な回動を助長しながら好適に係合を解除し得るものとなっている。
【００４２】
他方、重ね動作の際にも好適に係り合い得るものとするために本実施形態では、回動係合部Ｑを、重ね動作を案内し得る重合案内面２３をさらに有するものとしている。
【００４３】
特に本実施形態では、転写ヘッドＨの両側において回動方向に対して直交する方向に、換言すれば回動動作における回動軸の軸芯の延伸方向に沿って、一対対向させて回動係合部Ｑを設けているので、一対の回動係合部Ｑ間に仮想の回動軸を形成し得るものとなり、回動による安定した解除動作をし得るものとなっている。
【００４４】
また、より簡便な解除操作を行なうために本実施形態では、回動係合部Ｑの他には、単一の爪係合部Ｒのみとしている。特に、他端側係合部たる爪係合部Ｒを、容易に解除可能なものとするため、爪係合部Ｒを、係合爪１６と、外方から当該係合爪１６の係合を解除させ得る解除操作部１７とによって構成している。そして爪係合部Ｒによる係り合いを確実なものとするため、爪係合部Ｒと、係合状態（Ｅ）において係合爪１６の係り合いを強める方向に係合爪１６を押圧する爪押圧部１８をさらに設けたものとしている。
【００４５】
また本実施形態では、リフィル２側に、テープＴを保持するテープ保持機構４と、当該テープ保持機構４を駆動し得る駆動機構５とを予め付帯させているため、係り合いと解除とを繰り返しても従来のリフィル交換式の転写具のようにテープ保持機構４を駆動し得る駆動機構５とが接離する際にテープＴに弛みが生じることもない。そして、リフィル２側に駆動機構５に係る部品点数を少なくして好適に付帯させるため、駆動機構５を、繰出リール４１及び巻取リール４２と同軸に設けた繰出プーリ５１及び巻取プーリ５２と、当該繰出プーリ５１及び巻取プーリ５２に架け渡して設けたベルト５３により構成して、リフィルケース２０に別途ギアを保持させるような格別な機構や部品を付帯させることを有効に回避し得るものとなる。
【００４６】
特に、部品の交換時にテープＴの弛みが起こりやすい態様である修正剤を転写する態様の転写具Ａに本発明を採用することで、より好適に扱い得る転写具Ａの提供を実現している。さらには、部品の交換時にテープＴの弛みが起こると、一般に横引き式の転写具では転写具の内部でテープを旋回させない縦引き式に比べてテープＴの皺や巻取不良などの要因となり易い傾向にあるが、旋回機構Ｓを具備する横引き式の転写具Ａに対して、リフィル２の交換時にテープＴの弛みが起こり難い本発明を適用することで、より好適に扱い得る転写具Ａの提供を実現している。
【００４７】
以上、本発明の実施形態について説明したが、各部の具体的な構成は、上述した実施形態のみに限定されるものではなく、本発明の趣旨を逸脱しない範囲で種々変形が可能である。
【００４８】
例えば、上記実施形態では係合部を転写具本体の両端に設けたものとしたが、斯かる構成に限られる事はなく、例えば両端の他に中央箇所に他の係合部を設けたものとしてもよい。また、回動係合部を設ける位置は転写ヘッド近傍に限られる事はなく、任意の位置に設定する事が可能である。また、上記実施形態では回動案内面として、円弧面１２と回動週接面とを開示したが、いずれか一方のみの構成としてもよく、その場合においても円滑な回動動作を実現することができる。
【００４９】
そして上記実施形態では両半ケース部のうちの片方をリフィルに設定している転写具について記載したが、本発明は、斯かる構成の転写具に限られず、例えば、両半ケース部内に別体のリフィルを内蔵しているタイプの転写具に適用してもよい。
【００５０】
その他、各部の具体的構成についても上記実施形態に限られるものではなく、本発明の趣旨を逸脱しない範囲で種々変形が可能である。
【図面の簡単な説明】
【００５１】
【図１】本発明の一実施形態に係る転写具を示す正面図。
【図２】同平面図。
【図３】図２に対応した動作説明図。
【図４】同実施形態に係る要部拡大図。
【図５】同実施形態に係る要部を模式的に示す図。
【図６】同実施形態に係る動作説明図。
【図７】図４に対応した動作説明図。
【図８】同実施形態に係る動作説明図。
【符号の説明】
【００５２】
１…半ケース部（支持体）
１２…回動案内面（円弧面）
１６…係合爪
１７…解除操作部
１８…爪押圧部
２…半ケース部（リフィル）
２２…回動案内面（回動摺接面）
２３…重合案内面
２４…解除案内面
４…テープ保持機構
４１…繰出リール
４２…巻取リール
５…駆動機構
５１…繰出プーリ
５２…巻取プーリ
５３…ベルト
Ａ…転写具
Ｓ…旋回機構
Ｑ…回動係合部
Ｒ…他端側傾動部（爪係合部）
【図１】
2008265041.tif 000003
【図２】
2008265041.tif 000004
【図３】
2008265041.tif 000005
【図４】
2008265041.tif 000006
【図５】
2008265041.tif 000007
【図６】
2008265041.tif 000008
【図７】
2008265041.tif 000009
【図８】
2008265041.tif 000010